(57)【要約】【課題】複雑なアナログ回路を必要とせず、かつ電気信号の立ち上がり部分の傾斜に起因して光の入射開始タイミングに誤差が生じることを抑制できる信号光検出装置を提供する。【解決手段】光電変換素子１０４が生成した電気信号はコンパレータ１２０に入力される。コンパレータ１２０は、増幅器１１０から出力された電気信号が基準電圧以上であるか否かを判断し、基準電圧以上である場合にハイ信号を出力する。基準電圧変更部１３０は、電気信号が基準電圧以上になったとコンパレータ１２０が判断してから、予め定められた時間が経過した後に基準電圧を上昇させていく。信号処理装置は、電気信号が基準電圧以上になってから基準電圧以下になるまでの時間であるパルス幅に基づいて、電気信号が基準電圧以上になった立ち上がりタイミングを補正することにより、信号光が光電変換部１００に入射し始めたタイミングを算出する。【選択図】図２
2010286454.tif 000002
【特許請求の範囲】
【請求項１】
信号光をアナログの電気信号に変換する光電変換部から出力される前記電気信号をデジタル信号に変換するＡＤ変換回路と、
前記デジタル信号を補正する補正部と、
を備え、
前記ＡＤ変換回路は、
前記電気信号が基準電圧以上であるか否かを判断するコンパレータと、
前記電気信号が前記基準電圧以上になったと前記コンパレータが判断してから、予め定められた時間が経過した後に前記基準電圧を上昇させていく基準電圧変更部と、
を備え、
前記補正部は、前記電気信号が前記基準電圧以上になってから、前記電気信号が前記基準電圧以下になるまでの時間であるパルス幅に基づいて、前記電気信号が前記基準電圧以上になった立ち上がりタイミングを補正することにより、前記信号光が前記光電変換部に入射し始めたタイミングである入射タイミングを算出する信号光検出装置。
【請求項２】
請求項１に記載の信号光検出装置において、
前記パルス幅と、前記立ち上がりタイミングの補正量とを対応付けるテーブルまたは関数を記憶する補正用データ記憶部をさらに備え、
前記補正部は、前記テーブルまたは関数に基づいて前記立ち上がりタイミングを補正する請求項１に記載の信号光検出装置。
【請求項３】
請求項１または２に記載の信号光検出装置において、
前記基準電圧変更部は、
入力部が前記コンパレータの出力部に接続されたモノステーブル回路と、
前記モノステーブル回路の出力部と前記コンパレータの基準電圧入力部を接続するＲＣ回路と、
を有する信号光検出装置。
【請求項４】
請求項１〜３のいずれか一つに記載の信号光検出装置において、
前記信号光は放射線であり、前記光電変換部はシンチレータを有する信号光検出装置。
【請求項５】
請求項１〜４のいずれか一つに記載の信号光検出装置において、
前記光電変換部をさらに備える信号光検出装置。
【請求項６】
光電変換部が、信号光をアナログの電気信号に変換し、
コンパレータが、前記電気信号が基準電圧以上であるか否かを判断し、
前記電気信号が前記基準電圧以上になったと前記コンパレータが判断してから予め定められた時間が経過した後に、基準電圧変更部が前記基準電圧を上昇させていき、
前記電気信号が前記基準電圧以上になってから前記基準電圧以下になるまでの時間であるパルス幅に基づいて、補正部が前記電気信号が前記基準電圧以上になった立ち上がり時刻を補正することにより、前記信号光が前記光電変換部に入射し始めた時刻である入射時刻を算出する信号光検出方法。
【発明の詳細な説明】
【技術分野】
【０００１】
本発明は、信号光の入射開始タイミングを精度よく検出することができる信号光検出装置及び信号光検出方法に関する。
【背景技術】
【０００２】
人体の断面像を撮像して癌を発見する方法の一つに、陽電子放出断層撮影（ＰＥＴ：Positron Emission Tomography）がある。ＰＥＴは、癌細胞に取り込まれた陽電子放出核種から放出される放射線を検出することにより、癌細胞の位置を特定する装置である。ＰＥＴにおいて、放射線はシンチレータによって低波長の光に変換される。そして変換後の光を、光電変換素子により電気信号に変換し、この電気信号を解析することにより、放射線を検出している。
【０００３】
癌細胞の位置の特定において、放射線の検出タイミングの精度を上げることが重要である。放射線の検出タイミングの誤差の原因の一つに、電気信号の立ち上がり部分の傾斜が波高によって変わり、これによって放射線の入射開始タイミングに誤差が生じることがある。この原因を解消する方法の一つに、コンスタントフラクションタイミングがある。この方法は、例えば非特許文献１に記載されているように、入力信号を減衰した信号と、入力信号を反転した信号とを足し合わせ、足し合わせにより生成した信号が０点と交差する時間に基づいて、放射線の入射開始タイミングを検出するものである。なお、非特許文献１には、コンスタントフラクションタイミングに類似する他の方法も記載されている。
【先行技術文献】
【非特許文献】
【０００４】
【非特許文献１】放射線計測ハンドブック、G.F.Knoll著、木村逸郎、阪井英次訳、日刊工業新聞社2001年
【発明の概要】
【発明が解決しようとする課題】
【０００５】
コンスタントフラクションタイミング及びこれに類似する方法を実現するためには、入力信号を反転させる必要がある。入力信号を反転させるためには複雑なアナログ回路が必要になる。一方、近年は一つの半導体チップに必要な回路を搭載することが進んでいる。半導体チップに複雑なアナログ回路を搭載することは、半導体チップのコストを増大させる。
【０００６】
本発明は上記事情に鑑みてなされたものであり、その目的とするところは、複雑なアナログ回路を必要とせず、かつ電気信号の立ち上がり部分の傾斜に起因して放射線の入射開始タイミングに誤差が生じることを抑制できる信号光検出装置及び信号光検出方法を提供することにある。
【課題を解決するための手段】
【０００７】
本発明によれば、信号光をアナログの電気信号に変換する光電変換部から出力される前記電気信号をデジタル信号に変換するＡＤ変換回路と、
前記デジタル信号を補正する補正部と、
を備え、
前記ＡＤ変換回路は、
前記電気信号が基準電圧以上であるか否かを判断するコンパレータと、
前記電気信号が前記基準電圧以上になったと前記コンパレータが判断してから、予め定められた時間が経過した後に前記基準電圧を上昇させていく基準電圧変更部と、
を備え、
前記補正部は、前記電気信号が前記基準電圧以上になってから、前記電気信号が前記基準電圧以下になるまでの時間であるパルス幅に基づいて、前記電気信号が前記基準電圧以上になった立ち上がりタイミングを補正することにより、前記信号光が前記光電変換部に入射し始めたタイミングである入射タイミングを算出する信号光検出装置が提供される。
【０００８】
本発明によれば、光電変換部が、信号光をアナログの電気信号に変換し、
コンパレータが、前記電気信号が基準電圧以上であるか否かを判断し、
前記電気信号が前記基準電圧以上になったと前記コンパレータが判断してから予め定められた時間が経過した後に、基準電圧変更部が前記基準電圧を上昇させていき、
前記電気信号が前記基準電圧以上になってから前記基準電圧以下になるまでの時間であるパルス幅に基づいて、補正部が前記電気信号が前記基準電圧以上になった立ち上がり時刻を補正することにより、前記信号光が前記光電変換部に入射し始めた時刻である入射時刻を算出する信号光検出方法が提供される。
【発明の効果】
【０００９】
本発明によれば、複雑なアナログ回路を必要とせず、かつ電気信号の立ち上がり部分の傾斜に起因して放射線の入射開始タイミングに誤差が生じることを抑制できる。
【図面の簡単な説明】
【００１０】
【図１】陽電子放出断層撮影装置の構成を示す図である。
【図２】信号光検出装置の機能構成を示すブロック図である。
【図３】信号処理装置の機能構成を示すブロック図である。
【図４】補正部が行う補正を具体的に説明するための図であり、シンチレータに放射線が入射したときの増幅器の出力電圧の経時変化を示している。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る陽電子放出断層撮影装置の構成を示す図である。この陽電子放出断層撮影装置は、複数の信号光検出装置１０及び信号処理装置２０を備える。複数の信号光検出装置１０は、被験者の周囲を取り囲むように設けられている。信号光検出装置１０が検出した信号は、信号処理装置２０に送信される。信号処理装置２０は、信号光検出装置１０からの信号を処理し、被験者の何れの部分に癌細胞が位置しているかを算出する。
【００１３】
具体的には、被験者の癌細胞に取り込まれた陽電子放出核種が崩壊すると、０．５１１ＫｅＶの放射線が放出される。この放射線は、互いに対向する２つの信号光検出装置１０に略同じタイミングで検出される。信号処理装置２０は、いずれの信号光検出装置１０において放射線が同時に検出されたかを判断し、この判断結果を集計して画像を生成することにより、被験者の何れの部分に癌細胞が位置しているかを算出する。このため、陽電子放出断層撮影装置では放射線の検出タイミングの精度を上げることが重要である。
【００１４】
図２は、信号光検出装置１０の機能構成を示すブロック図である。信号光検出装置１０は、光電変換部１００及びＡＤ変換回路を備える。ＡＤ変換回路は、コンパレータ１２０及び基準電圧変更部１３０を備える。
【００１５】
光電変換部１００は、シンチレータ１０２及び光電変換素子１０４を有する。シンチレータ１０２は、放射線が入射すると蛍光を発光する。光電変換素子１０４は、例えばフォトダイオードであり、シンチレータ１０２が発光した蛍光をアナログの電気信号に変換する。本実施形態において、光電変換素子１０４が生成した電気信号は増幅器１１０によって増幅され、ＡＤ変換回路のコンパレータ１２０に入力される。
【００１６】
コンパレータ１２０は、増幅器１１０から出力された電気信号が基準電圧（ＬＤＤ）以上であるか否かを判断し、基準電圧以上である場合にハイ信号を出力する。コンパレータ１２０がハイ信号を出力しているとき、シンチレータ１０２に放射線が入射しているときと判断される。
【００１７】
基準電圧変更部１３０は、電気信号が基準電圧以上になったとコンパレータ１２０が判断してから、予め定められた時間が経過した後に基準電圧を上昇させていく。本実施形態において基準電圧変更部１３０は、モノステーブル回路１３２及びＲＣ回路１４０を有する。モノステーブル回路１３２は、入力部がコンパレータ１２０の出力部に接続されている。ＲＣ回路１４０は抵抗素子１４２及び容量素子１４４を備えており、モノステーブル回路１３２の出力とコンパレータ１２０の基準電圧入力部を接続している。コンパレータ１２０の基準電圧入力部には、抵抗素子１５０を介して直流電源１６０が接続している。
【００１８】
なお基準電圧変更部１３０の基準電圧上昇量は、例えば時間を変数とした一次関数であるが、これに限定されるものではなく、二次以上の関数であっても良い。
【００１９】
またコンパレータ１２０の出力は、信号処理装置２０に出力される。信号処理装置２０は、詳細を後述するように、電気信号が基準電圧以上になってから基準電圧以下になるまでの時間であるパルス幅に基づいて、電気信号が基準電圧以上になった立ち上がりタイミングを補正することにより、信号光が光電変換素子に入射し始めたタイミングを算出する。
【００２０】
なお、上記した信号光検出装置１０は、シンチレータ１０２及び直流電源１６０を除いて、一つの半導体チップとして形成することができる。そしてこの半導体チップは、増幅器１１０、コンパレータ１２０、モノステーブル回路１３２、抵抗素子１４２，１５０、及び容量素子１４４を備えているが、これらは複雑なアナログ回路を必要としない。
【００２１】
図３は、信号処理装置２０の機能構成を示すブロック図である。信号処理装置２０は、補正部２１０、補正用データ記憶部２２０、及び測定データ記憶部２３０を備える。
【００２２】
補正部２１０は、信号光検出装置１０のコンパレータ１２０から出力されるハイ信号を、放射線がシンチレータ１０２に入射している間を示すパルス信号として認識する。
【００２３】
補正用データ記憶部２２０は、パルス信号の立ち上がりタイミングを補正するためのデータを記憶している。このデータは、放射線がシンチレータ１０２に入射している間を示すパルス信号の幅と、立ち上がりタイミングの補正量を示すデータとの関係を示しており、例えば補正テーブルや補正関数である。
【００２４】
そして補正部２１０は、パルス信号の幅を認識し、この幅に対応する補正量を、補正用データ記憶部２２０が記憶しているデータを用いて読み出しまたは算出する。そして補正部２１０は、読み出し又は算出した補正量を用いて、パルス信号の立ち上がりタイミングを補正する。
【００２５】
図４は、補正部２１０が行う補正を具体的に説明するための図であり、シンチレータ１０２に放射線が入射したときの増幅器１１０の出力電圧の経時変化を示している。横軸（時間軸）の原点（０点）は、シンチレータ１０２に放射線が入射したときである。Ａは放射線が弱いときのチャートであり、Ｃは放射線が強いときのチャートであり、Ｂは放射線の強度が中程度のときのチャートである。
【００２６】
増幅器１１０の出力が立ち上がる前は、コンパレータ１２０の基準電圧は一定である。そして、シンチレータ１０２に放射線が入射したとき、その立ち上がり角度は、入射した放射線の強度によって異なる。このため、コンパレータ１２０が出力するパルス信号の立ち上がりタイミングはＡ，Ｂ，Ｃの間で異なる。具体的には、パルス信号の立ち上がりタイミングは、Ｃが最も早く、次いでＢ、Ａの順に早い。
【００２７】
そして基準電圧変更部１３０は、一定時間が経過した後にコンパレータ１２０の基準電圧を上昇させていく。すると、コンパレータ１２０の基準電圧は、あるタイミングで増幅器１１０の出力電圧より高くなる。このタイミングで、コンパレータ１２０が出力するパルス信号は立ち下がる。この立下りタイミングは、Ａ，Ｂ，Ｃの間で異なる。具体的には、パルス信号の立ち下がりタイミングは、Ａが最も早く、次いでＢ、Ｃの順に早い。
【００２８】
このため、コンパレータ１２０が出力するパルス信号の幅は、Ａ，Ｂ，Ｃの間で異なる。具体的には、Ａが最も狭く、次いでＢ，Ｃの順に広くなっていく。
【００２９】
以上のことから、コンパレータ１２０が出力するパルス信号の幅は、シンチレータ１０２に放射線が入射してからパルス信号が立ち上がるまでの時間と相関がある。具体的には、パルス信号の幅が狭いほど、シンチレータ１０２に放射線が入射してからパルス信号が立ち上がるまでの時間が長くなる。このため、この相関を示すデータを補正用データ記憶部２２０に記憶させておくことにより、コンパレータ１２０が出力するパルス信号の立ち上がりタイミングを精度よく補正することができる。
【００３０】
なお、図４に示す例では、コンパレータ１２０の基準電圧の上昇速度はある程度早く、増幅器１１０の出力電圧がピークを迎える前にパルス信号が立ち下がっているが、コンパレータの基準電圧の上昇速度をこれより遅くして、増幅器１１０の出力電圧がピークを迎えた後にパルス信号が立ち下がるようにしてもよい。
【００３１】
以上、本実施形態によれば、増幅器１１０の出力がコンパレータ１２０の基準電圧を超えてから一定時間が経過した後に、この基準電圧を上昇させていく。このため、コンパレータ１２０が出力するパルス信号の幅と、シンチレータ１０２に放射線が入射してからパルス信号が立ち上がるまでの時間には相関が生じる。このため、この相関を示すデータを補正用データ記憶部２２０に記憶させておくことにより、コンパレータ１２０が出力するパルス信号の立ち上がりタイミングを精度よく補正することができる。
【００３２】
また、信号光検出装置１０の増幅器１１０、コンパレータ１２０、モノステーブル回路１３２、抵抗素子１４２，１５０、及び容量素子１４４は、複雑なアナログ回路を必要としない。このため、これらを一つの半導体チップとして形成するときに、その製造コストを下げることができる。
【００３３】
以上、図面を参照して本発明の実施形態について述べたが、これらは本発明の例示であり、上記以外の様々な構成を採用することもできる。例えば上記した実施形態では、信号光検出装置１０は放射線を検出する装置であり、ＰＥＴに使用されたが、本発明はこれに限定されるものではない。また信号光検出装置１０が検出する光は放射線に限られるものではなく、他の波長の光であっても良い。この場合、シンチレータ１０２は不要になる。
【符号の説明】
【００３４】
１０ 信号光検出装置
２０ 信号処理装置
１００ 光電変換部
１０２ シンチレータ
１０４ 光電変換素子
１１０ 増幅器
１２０ コンパレータ
１３０ 基準電圧変更部
１３２ モノステーブル回路
１４０ ＲＣ回路
１４２ 抵抗素子
１４４ 容量素子
１５０ 抵抗素子
１６０ 直流電源
２１０ 補正部
２２０ 補正用データ記憶部
２３０ 測定データ記憶部
【図１】
2010286454.tif 000003
【図２】
2010286454.tif 000004
【図３】
2010286454.tif 000005
【図４】
2010286454.tif 000006